(57)【要約】  本発明の課題は、消費電力を抑制して、外部機器に対する受信信号強度の通知機能を実現可能な無線通信装置及びその通信方法を提供することである。  携帯電話装置（１）は、携帯電話基地局（３）と通信する携帯電話通信部（１１）と、ハンズフリー機器（２）と近距離通信にて通信する近距離無線通信部（１３）とを有する。制御部は、携帯電話通信部（１１）における電界強度を検出して、ハンズフリー機器（２）へ通知することにより、ハンズフリー機器（２）は、携帯電話装置（１）の通信状態を表示部（２３）に表示する。携帯電話装置（１）の制御部（１２）は、近距離無線通信部（１３）にて接続されている外部機器から、外部機器に関する機器情報を取得して、接続されている外部機器に対する電界強度の通知の要否を判定し、不要である場合に電界強度の通知機能を停止する。
2007099743.tif 000002
【特許請求の範囲】
【請求項１】
第一の無線通信部と、
前記第一の無線通信部における通信方式とは異なる通信方式を用いて、外部機器と無線通信を行う第二の無線通信部と、
前記第一の無線通信部における受信信号強度を検出する信号強度検出部と、
前記検出した受信信号強度に関する情報を、前記第二の無線通信部を介して前記外部機器へ通知する信号強度通知部と、
前記第二の無線通信部を介して接続されている外部機器から、当該外部機器に関する機器情報を取得する機器情報取得部と、
前記機器情報に基づいて、前記信号強度通知部による通知の要否を判定し、不要である場合に前記信号強度通知部の機能を停止する信号強度通知制御部と、
を備える無線通信装置。
【請求項２】
請求項１に記載の無線通信装置であって、
前記受信信号強度に関する情報の通知が不要な機器の識別情報を記憶する記憶部を更に備え、
前記機器情報取得部は、前記外部機器から当該外部機器の識別情報を取得し、
前記信号強度通知制御部は、前記記憶部に記憶されている識別情報と、前記取得した識別情報とが合致した場合、前記信号強度通知部の機能を停止する無線通信装置。
【請求項３】
請求項１又は２に記載の無線通信装置であって、
前記機器情報取得部は、前記外部機器から当該外部機器が備える機能情報を取得し、
前記信号強度通知制御部は、前記取得した機能情報に所定の機能が含まれるか否かに応じて、前記信号強度通知部による通知の要否を判定する無線通信装置。
【請求項４】
請求項１ないし３のいずれか一項に記載の無線通信装置であって、
前記機器情報取得部は、前記外部機器から受信信号強度の通知の要否を指示する情報を取得し、
前記信号強度通知制御部は、前記取得した指示情報に基づいて、前記信号強度通知部による通知の要否を判定する無線通信装置。
【請求項５】
請求項１ないし４のいずれか一項に記載の無線通信装置であって、
前記信号強度通知部は、前記検出した受信信号強度が、複数の区分された受信信号強度の段階のうちのどの段階に該当するかを判定し、前記受信信号強度の段階が変化したと判定されたときに、当該判定された段階を、前記検出した受信信号強度に関する情報として前記外部機器に通知する無線通信装置。
【請求項６】
請求項１ないし５のいずれか一項に記載の無線通信装置であって、
前記第一の無線通信部は、移動体通信の基地局と通信を行う移動体通信部であり、
前記第二の無線通信部は、前記外部機器と近距離無線通信を行う近距離無線通信部である無線通信装置。
【請求項７】
請求項１ないし６のいずれか一項に記載の無線通信装置と、
前記外部機器として、前記無線通信装置の第二の無線通信部と通信を行う近距離無線通信装置とを備える無線通信システム。
【請求項８】
第一の無線通信部と、前記第一の無線通信部における通信方式とは異なる通信方式を用いて、外部機器と無線通信を行う第二の無線通信部と、前記第一の無線通信部における受信信号強度を検出する信号強度検出部と、前記検出した受信信号強度に関する情報を、前記第二の無線通信部を介して前記外部機器へ通知する信号強度通知部とを備える無線通信装置の無線通信方法であって、
前記第二の無線通信部を介して接続されている外部機器から、当該外部機器に関する機器情報を取得するステップと、
前記機器情報に基づいて、前記信号強度通知部による通知の要否を判定し、不要である場合に前記信号強度通知部の機能を停止するステップと、
を有する通信方法。
【請求項９】
コンピュータに、請求項８に記載の通信方法を実行させるプログラム。
【発明の詳細な説明】
【技術分野】
【０００１】
本発明は、異なる二つの通信方式に対応した無線通信装置及びその通信方法に関する。
【背景技術】
【０００２】
移動体通信に用いられる携帯電話は、移動体通信の機能のほかに近距離無線通信等の第二の無線通信機能を備え、この第二の通信機能を利用して外部機器との無線通信を可能としたものがある。例えば、特許文献１には、携帯電話と、ハンズフリー音声通話ができるハンズフリー端末とがＢｌｕｅｔｏｏｔｈ（登録商標）通信で無線接続され、携帯電話に着信があったとき、ハンズフリー端末に発信者情報の表示を行う通信システムが記載されている。【０００３】
上述したＢｌｕｅｔｏｏｔｈ（登録商標）通信には、Ｓｎｉｆｆモード、Ｐａｒｋモード、Ｈｏｌｄモードといった低消費電力モードがあり、通信機器における消費電力を抑制することが可能である（例えば、特許文献２参照）。【０００４】
【特許文献１】特開２００５−２１０１８１号公報
【特許文献２】特開２００５−２６０５８６号公報
【発明の開示】
【発明が解決しようとする課題】
【０００５】
上述したように、ハンズフリー端末が表示機能を備える場合、ハンズフリー端末に表示させる情報としては、着信時の発信者情報のほか、携帯電話の移動体通信における基地局からの受信信号強度に関する情報が挙げられる。これにより、使用者は、ハンズフリー端末の表示を確認することにより、携帯電話の移動体通信における通信状態を把握することができる。【０００６】
ところで、近距離無線通信にて接続可能な外部機器には、上記のように表示機能を備えたものもあれば、表示機能を備えないヘッドセットのような機器もある。しかしながら、携帯電話が上述した受信信号強度の表示機能に対応した動作を行うためには、外部機器における表示装置の有無に関わらず、受信信号強度が変化するたびに受信信号強度を外部機器へ通知する必要がある。【０００７】
携帯電話における受信信号強度は時々刻々と変動するので、携帯電話と外部機器との間の通信が低消費電力モードにあるときも、その低消費電力モードを一旦解除し、受信信号強度の通知を行う必要がある。このように、近距離無線通信にて接続された機器が表示機能に対応していないときにも、受信信号強度の通知を行うことにより、無駄な電力を消費してしまい、携帯電話における消費電力が増大してしまうという事情がある。【０００８】
一方、消費電力を抑制するために通知のタイミングを間引くと、信号強度表示機能を備えた機器が接続されているときには、その機器で表示される携帯電話の通信状態が、実際の状態と一致しなくなる恐れがある。【０００９】
本発明は、上記の事情に鑑みてなされたものであって、消費電力を抑制して、外部機器に対する受信信号強度の通知機能を実現可能な無線通信装置及びその通信方法を提供することを目的とする。
【課題を解決するための手段】
【００１０】
本発明は、第１に、第一の無線通信部と、前記第一の無線通信部における通信方式とは異なる通信方式を用いて、外部機器と無線通信を行う第二の無線通信部と、前記第一の無線通信部における受信信号強度を検出する信号強度検出部と、前記検出した受信信号強度に関する情報を、前記第二の無線通信部を介して前記外部機器へ通知する信号強度通知部と、前記第二の無線通信部を介して接続されている外部機器から、当該外部機器に関する機器情報を取得する機器情報取得部と、前記機器情報に基づいて、前記信号強度通知部による通知の要否を判定し、不要である場合に前記信号強度通知部の機能を停止する信号強度通知制御部とを備える無線通信装置が提供されるものである。【００１１】
この構成により、第二の無線通信部を介して接続される外部機器が、受信信号強度を通知する必要のない機器であるときに、受信信号強度の通知の機能を停止するので、無線通信装置の消費電力を抑制することができる。【００１２】
本発明は、第２に、上記第１に記載の無線通信装置であって、前記受信信号強度に関する情報の通知が不要な機器の識別情報を記憶する記憶部を更に備え、前記機器情報取得部は、前記外部機器から当該外部機器の識別情報を取得し、前記信号強度通知制御部は、前記記憶部に記憶されている識別情報と、前記取得した識別情報とが合致した場合、前記信号強度通知部の機能を停止する無線通信装置が提供されるものである。【００１３】
この構成により、第二の無線通信部を介して接続される外部機器が、予め指定された受信信号強度の通知不要な機器であるか否かを判定するので、受信信号強度を通知する必要のない機器への受信信号強度の通知の機能を確実に停止し、無線通信装置の消費電力を抑制することができる。【００１４】
本発明は、第３に、上記第１又は第２に記載の無線通信装置であって、前記機器情報取得部は、前記外部機器から当該外部機器が備える機能情報を取得し、前記信号強度通知制御部は、前記取得した機能情報に所定の機能が含まれるか否かに応じて、前記信号強度通知部による通知の要否を判定する無線通信装置が提供されるものである。【００１５】
この構成により、外部機器から取得した機能情報に基づいて、受信信号強度の表示機能を備えているか否かを推定し、受信信号強度の通知の要否を判定するので、受信信号強度を通知する必要のない機器への受信信号強度の通知の機能を停止し、無線通信装置の消費電力を抑制することができる。【００１６】
本発明は、第４に、上記第１ないし第３のいずれかに記載の無線通信装置であって、前記機器情報取得部は、前記外部機器から、受信信号強度の通知の要否を指示する情報を取得し、前記信号強度通知制御部は、前記取得した指示情報に基づいて、前記信号強度通知部による通知の要否を判定する無線通信装置が提供されるものである。【００１７】
この構成により、外部機器より受信信号強度通知の要否が直接指示されるので、受信信号強度を通知する必要のない機器への受信信号強度の通知の機能を停止し、無線通信装置の消費電力を抑制することができる。【００１８】
本発明は、第５に、上記第１ないし４のいずれかに記載の無線通信装置であって、前記信号強度通知部は、前記検出した受信信号強度が、複数の区分された受信信号強度の段階のうちのどの段階に該当するかを判定し、前記受信信号強度の段階が変化したと判定されたときに、当該判定された段階を、前記検出した受信信号強度に関する情報として前記外部機器に通知する無線通信装置が提供されるものである。【００１９】
この構成により、受信信号強度の段階が変化したときにのみ外部機器へ通知するので、無線通信装置の消費電力を抑制することができる。【００２０】
本発明は、第６に、上記第１ないし第５のいずれか一項に記載の無線通信装置であって、前記第一の無線通信部は、移動体通信の基地局と通信を行う移動体通信部であり、前記第二の無線通信部は、前記外部機器と近距離無線通信を行う近距離無線通信部である無線通信装置が提供されるものである。【００２１】
この構成により、近距離無線通信にて接続された外部機器に対して、移動体通信における受信信号強度を通知することができる。【００２２】
本発明は、第７に、上記第１ないし第６のいずれかに記載の無線通信装置と、前記無線通信装置の第二の無線通信部と通信を行う前記外部機器とを備える無線通信システムが提供されるものである。【００２３】
この構成により、第二の無線通信部を介して接続される外部機器が、受信信号強度を通知する必要のない機器であるときに、受信信号強度の通知の機能を停止するので、無線通信装置及び外部機器の消費電力を抑制することができる。【００２４】
本発明は、第８に、第一の無線通信部と、前記第一の無線通信部における通信方式とは異なる通信方式を用いて、外部機器と無線通信を行う第二の無線通信部と、前記第一の無線通信部における受信信号強度を検出する信号強度検出部と、前記検出した受信信号強度に関する情報を、前記第二の無線通信部を介して前記外部機器へ通知する信号強度通知部とを備える無線通信装置の無線通信方法であって、前記第二の無線通信部を介して接続されている外部機器から、当該外部機器に関する機器情報を取得するステップと、前記機器情報に基づいて、前記信号強度通知部による通知の要否を判定し、不要である場合に前記信号強度通知部の機能を停止するステップとを有する通信方法が提供されるものである。【００２５】
この方法により、第二の無線通信部を介して接続される外部機器が、受信信号強度を通知する必要のない機器であるときに、受信信号強度の通知の機能を停止するので、無線通信装置の消費電力を抑制することができる。【００２６】
本発明は、第９に、コンピュータに、上記第８に記載の通信方法を実行させるプログラムが提供されるものである。【００２７】
このプログラムにより、第二の無線通信部を介して接続される外部機器が、受信信号強度を通知する必要のない機器であるときに、受信信号強度の通知の機能を停止するので、無線通信装置の消費電力を抑制することができる。
【発明の効果】
【００２８】
本発明によれば、消費電力を抑制して、外部機器に対する受信信号強度の通知機能を実現可能な無線通信装置及びその通信方法を提供することができる。
【図面の簡単な説明】
【００２９】
【図１】本発明の第１の実施形態に係る無線通信システムの概略構成を示すブロック図
【図２】本発明の第１の実施形態に係る携帯電話装置の主要な構成を示すブロック図
【図３】本発明の第１の実施形態に係る無線通信システムにおけるリンク確立動作の手順を説明するシーケンス図
【図４】本発明の第１の実施形態に係る携帯電話装置の電界強度通知時の処理手順を示すフローチャート
【図５】本発明の第１の実施形態に係る無線通信システムにおける電界強度通知機能時の動作手順を説明するシーケンス図
【図６】本発明の第１の実施形態に係る無線通信システムにおける電界強度通知機能停止時の動作手順を説明するシーケンス図
【図７】本発明の第２の実施形態に係る無線通信システムにおけるリンク確立動作の手順を説明するシーケンス図
【図８】本発明の第２の実施形態に係る携帯電話装置の電界強度通知時の処理手順を示すフローチャート
【符号の説明】
【００３０】
１  携帯電話装置
２  ハンズフリー機器
３  携帯電話基地局
１１  携帯電話通信部
１２  制御部
１３  近距離無線通信部
２１  近距離無線通信部
２２  電界強度取得部
２３  表示部
１２１  機器情報取得部
１２２  記憶部
１２３  モード設定部
１２４  電界強度通知判定部
１２５  電界強度判定部
１２６  電界強度通知部
【発明を実施するための最良の形態】
【００３１】
（第１の実施形態）
図１は、本発明の第１の実施形態に係る無線通信システムの概略構成を示すブロック図である。図１に示すように、本実施形態の無線通信システムは、携帯電話装置１と、携帯電話装置１に近距離無線通信を介して接続されるハンズフリー機器２とを備える。携帯電話装置１は無線通信装置の一例であり、ハンズフリー機器２は外部機器の一例である。【００３２】
携帯電話装置１は、携帯電話基地局３と通信して移動体通信網に接続する携帯電話通信部１１と、携帯電話装置１全体の動作を制御する制御部１２と、ハンズフリー機器２と近距離無線通信を行う近距離無線通信部１３とを備える。なお、携帯電話通信部１は第一の無線通信部の一例として動作する。また、近距離無線通信部１３は、第一の無線通信部における通信方式とは異なる通信方式を用いて、外部機器と無線通信を行う第二の無線通信部の一例として動作する。【００３３】
ハンズフリー機器２は、近距離通信を行う近距離無線通信部２１と、電界強度取得部２２と、表示部２３とを備える。近距離無線通信部２１は、携帯電話装置１の近距離無線通信部１３と通信を行う。電界強度取得部２２は、近距離無線通信部２１を介して携帯電話装置１から取得した携帯電話装置１における携帯電話基地局３からの受信信号強度の一例としての電界強度を取得する。表示部２３は、電界強度取得部２２で取得した電界強度の情報を表示部２３に表示する。【００３４】
図２は、本発明の第１の実施形態に係る携帯電話装置の主要な構成を示すブロック図である。図２に示すように、制御部１２は、機器情報取得部１２１と、記憶部１２２と、モード設定部１２３と、電界強度通知判定部１２４と、電界強度判定部１２５と、電界強度通知部１２６とを備える。なお、図２では、電界強度通知機能に関する要素を中心にして記載されており、他に携帯電話装置１全体の動作を制御する要素については省略されている。【００３５】
機器情報取得部１２１は、近距離無線通信部１３を介して接続されたハンズフリー機器２から受信した情報から、ハンズフリー機器２に関する機器情報を取得する。記憶部１２２は、機器情報取得部１２１から取得した機器情報を記憶する。モード設定部１２３は、近距離無線通信部１３を用いた近距離無線通信について、通常通信モードと省電力モードとのうちのいずれかのモードを設定する。【００３６】
電界強度通知判定部１２４は、信号強度通知制御部の一例として機能し、記憶部１２２に記憶されている機器情報に基づいて、ハンズフリー機器２への電界強度の通知の要否を判定する。電界強度判定部１２５は、携帯電話通信部１１における受信信号から電界強度を検出し、電界強度の変化等による電界強度の通知の必要性について判定する。電界強度通知部１２６は、信号強度通知部の一例として機能し、電界強度判定部１２５にて判定された電界強度に関する情報を、近距離無線通信部１３を介してハンズフリー機器２へ通知する。【００３７】
図３は、本発明の第１の実施形態に係る無線通信システムにおけるリンク確立動作の手順を説明するシーケンス図である。図３に示すように、まず、携帯電話装置１とハンズフリー機器２との間で、無線リンクが確立する（ステップＳ３０１）。【００３８】
無線リンクが確立すると、ハンズフリー機器２は、近距離無線通信部２１に割り当てられた固有のアドレス、例えばＢｌｕｅｔｏｏｔｈ（登録商標）の場合には、ＢＤアドレス（Bluetooth（登録商標） Device Address）を携帯電話装置１へ送信する（ステップＳ３０２）。また、自身のハンズフリー機器２に割り当てられている機器名称を携帯電話装置１へ送信する（ステップＳ３０３）。携帯電話装置１の機器情報取得部１２１は、通知されたアドレスや機器名称を機器情報として取得し、記憶部１２２へ記憶する。【００３９】
携帯電話装置１は、ハンズフリー機器２から送信されたアドレスや機器名称等、機器の識別情報である機器情報を受信して、接続を許可するときには、ハンズフリー機器へ接続を許可する応答を送信する（ステップＳ３０４）。このようにして、携帯電話装置１と、ハンズフリー機器２との間の通信が確立する（ステップＳ３０５）。【００４０】
以上のように、携帯電話装置１は、近距離無線通信を確立するにあたり、通信相手となる機器の識別情報を取得する。本実施形態の携帯電話装置１は、このように取得された機器情報を利用して、電界強度通知の要否を判定するものである。【００４１】
図４は、本発明の第１の実施形態に係る携帯電話装置の電界強度通知時の処理手順を示すフローチャートである。【００４２】
図４に示すように、電界強度通知判定部１２４は、モード設定部１２３から省電力モードに入った通知を受けると、近距離無線通信部１３を介して接続されていると共に省電力モードとなっているハンズフリー機器２の機器情報を記憶部１２２から読み出して、電界強度を通知する必要のある機器であるか否かを判定する（ステップＳ４０１）。【００４３】
なお、記憶部１２２には、電界強度の通知が不要な機器の識別情報等の機器情報が予め登録されている。ステップＳ４０１において、電界強度通知判定部１２４は、記憶部１２２を参照して、現在近距離無線通信部１３に接続されている外部機器の機器情報が、電界強度の通知が不要な機器として予め指定されている機器情報と一致するか否かを判定することにより、接続している機器が電界強度の通知が不要であるか否かを判定する。【００４４】
現在近距離無線通信部１３に接続されている外部機器の機器情報が、記憶部１２２に登録されている機器情報と一致したとき（ステップＳ４０１のＹＥＳ）、電界強度を通知する必要のない機器であると判定し、省電力モードを維持する（ステップＳ４０２）。すなわち、電界強度通知の機能を休止する。【００４５】
一方、現在近距離無線通信部１３に接続されている外部機器の機器情報が、記憶部１２２に登録されている機器情報と一致しないとき（ステップＳ４０１のＮＯ）、電界強度通知判定部１２４は、近距離無線通信にて接続されている機器へ電界強度を通知する必要があると判定する。そして、電界強度判定部１２５は、電界強度通知判定部１２４からの指示により、携帯電話通信部１１から電界強度を取得する（ステップＳ４０３）。【００４６】
電界強度判定部１２５は、取得した電界強度が、複数の区分された電界強度の段階のうち、どの段階に該当するかを判定する。なお、電界強度判定部１２５では、ハンズフリー機器２において表示する電界強度の段階を少なくとも判定できればよい。例えば、ハンズフリー機器２が、圏外を含む５段階の電界強度を表示する場合には、電界強度判定部１２５は、検出された電界強度が、少なくともこの５段階のどの段階に該当するかについて判定する。【００４７】
そして、電界強度判定部１２５は、検出された電界強度が該当する段階が変化したか否かを判定する（ステップＳ４０４）。電界強度の段階が変化していなければ（ステップＳ４０４）、電界強度の通知をせず、省電力モードを維持する（ステップＳ４０２）。一方、電界強度の段階が変化していれば（ステップＳ４０５）、電界強度判定部１２５は、モード設定部１２３に通知して、近距離無線通信部１３のハンズフリー機器２との間の省電力モードを解除し（ステップＳ４０５）。そして、電界強度通知部１２６は、変化後の電界強度の段階を、近距離無線通信部１３を介して、ハンズフリー機器２に通知する（ステップＳ４０６）。【００４８】
図５は、本発明の第１の実施形態に係る無線通信システムにおける電界強度通知機能時の動作手順を説明するシーケンス図である。図５に示すように、携帯電話装置１とハンズフリー機器２との間で近距離無線通信の接続が確立し（ステップＳ５０１）、ハンズフリー機器２が省電力モードの要求を送信し（ステップＳ５０２）、携帯電話装置１が省電力モード要求の許可を返信すると（ステップＳ５０３）、携帯電話装置１とハンズフリー機器２との間の近距離無線通信が省電力モードとなる（ステップＳ５０４）。【００４９】
そして、ハンズフリー機器２が、携帯電話装置１における電界強度の表示機能に対応しているとき、すなわち、携帯電話装置１がハンズフリー機器２へ電界強度を通知する必要があるとき、電界強度の変化が生じると、図４のステップＳ４０５に示すように、ハンズフリー機器２に対して省電力モード解除要求を送信し（ステップＳ５０５）、ハンズフリー機器２は、省電力モード解除要求に対する応答を返して（ステップＳ５０６）、携帯電話装置１とハンズフリー機器２との間の近距離無線通信が通常接続モードとなる（ステップＳ５０７）。【００５０】
そして、携帯電話装置１は、図４のステップＳ４０６に示すように、電界強度をハンズフリー機器２に通知し（ステップＳ５０８）、ハンズフリー機器２は、通知に対する応答を携帯電話装置１へ返す（ステップＳ５０９）。その後、ハンズフリー機器２が省電力モードの要求を送信し（ステップＳ５１０）、携帯電話装置１が省電力モード要求の許可を返信すると（ステップＳ５１１）、携帯電話装置１とハンズフリー機器２との間の近距離無線通信が省電力モードとなる（ステップＳ５１２）。【００５１】
次に、電界強度の通知が不要な場合の無線通信システムの動作について説明する。図６は、本発明の第１の実施形態に係る無線通信システムにおける電界強度通知機能停止時の動作手順を説明するシーケンス図である。なお、図５と重複する部分については同一の符号を付す。【００５２】
携帯電話装置１とハンズフリー機器２との間で省電力モードの状態になると（ステップＳ５０４）、ハンズフリー機器２が、携帯電話装置１の電界強度の表示機能に対応していないとき、すなわち、携帯電話装置１がハンズフリー機器２へ電界強度を通知する必要がないとき、携帯電話装置１は記憶部１２２に記憶されている機器情報を用いて電界強度通知が不要であると判定する（ステップＳ６０１）。電界強度通知が不要であると判定されると、その後、携帯電話装置１における基地局からの受信信号の電界強度が変化したとしても、ハンズフリー機器２への電界強度の通知が不要であるので、省電力モードが維持される。【００５３】
このようにして、近距離無線通信部１３を介して接続されているハンズフリー機器２が、受信信号強度を通知する必要のない機器であるときに、図５に示す期間Ｔにおける動作を休止するので、携帯電話装置１及びハンズフリー機器２の消費電力を抑制することができる。【００５４】
このような本発明の第１の実施形態によれば、近距離無線通信部１３を介して接続されるハンズフリー機器２が、記憶部１２２に予め登録された電界強度の通知不要な機器であるか否かを判定するので、電界強度を通知する必要のない機器への電界強度の通知の機能を確実に停止し、携帯電話装置１及びハンズフリー機器２の消費電力を抑制することができる。【００５５】
なお、本実施形態において、記憶部１２２は、電界強度の通知が必要な機器の識別情報を格納し、接続している機器が登録されている機器でないときに、省電力モードを維持してもよい。【００５６】
（第２の実施形態）
図７は、本発明の第２の実施形態に係る無線通信システムにおけるリンク確立動作の手順を説明するシーケンス図である。なお、本発明の第２の実施形態に係る無線通信システム及び携帯電話装置は、図１及び図２に示す構成と同様の構成を有するものである。【００５７】
まず、携帯電話装置１とハンズフリー機器２との間で、無線リンクが確立する（ステップＳ７０１）。無線リンクが確立すると、ハンズフリー機器２は、自身が対応している機能に関する情報である機能情報を、携帯電話装置１へ送信して、自身の機能を通知する（ステップＳ７０２）。携帯電話装置１の機器情報取得部１２１は、通知された機能情報を機器情報として取得し、記憶部１２２へ記憶する。【００５８】
また、携帯電話装置１も、自身が対応している機能に関する情報である機能情報をハンズフリー機器２に送信する（ステップＳ７０３）。その後、ハンズフリー機器２との接続を許可するときには、ハンズフリー機器２へ接続を許可する応答を送信する（ステップＳ７０４）。このようにして、携帯電話装置１と、ハンズフリー機器２との間の通信が確立する（ステップＳ７０５）。【００５９】
例えば、Ｂｌｕｅｔｏｏｔｈ（登録商標）の場合、ステップＳ７０２〜Ｓ７０４の処理は、ＨＦＰ（Hands Free Profile）リンク確立動作処理であり、ＢＲＳＦ（Bluetooth（登録商標） Retrieve Supported Features）を互いに公開することにより、自身がサポートする機能を互いに通知することができる。このＢＲＳＦで通知可能な機能の項目には、発信者番号通知機能が含まれている。したがって、携帯電話装置１は、ハンズフリー機器２が発信者番号通知機能に対応しているか否かを把握することができる。【００６０】
発信者番号通知機能に対応したハンズフリー機器２は、少なくとも表示機能を有していることから、受信信号強度の表示機能を備えている可能性があると推定される。そこで、本実施形態の携帯電話装置１は、図７の処理で取得した機器情報を利用して、電界強度通知の要否を判定するものである。【００６１】
図８は、本発明の第２の実施形態に係る携帯電話装置の電界強度通知時の処理手順を示すフローチャートである。図８において、図４と重複する手順については同一の符号を付す。【００６２】
図８に示すように、電界強度通知判定部１２４は、モード設定部１２３から省電力モードに入った通知を受けると、近距離無線通信部１３を介して接続されていると共に省電力モードとなっているハンズフリー機器２の機能情報を記憶部１２２から読み出し、そのハンズフリー機器２が、所定の機能に非対応であるか否かを判定する（ステップＳ８０１）。この手順における所定の機能とは、上記説明した発信者番号通知機能等、少なくとも表示機能を必要とした機能である。【００６３】
そして、所定の機能に非対応であれば（ステップＳ８０１のＹＥＳ）、電界強度を通知する必要のない機器であると判定し、省電力モードを維持する（ステップＳ４０２）。すなわち、電界強度通知の機能を休止する。【００６４】
一方、所定の機能に対応していれば（ステップＳ８０１のＮＯ）、電界強度を通知する必要のない機器であると推定できるので、ステップＳ４０３に進み、電界強度の取得処理へ進む。なお、ステップＳ４０３以降の処理は、図４で説明した処理と同様である。【００６５】
このような本発明の第２の実施形態によれば、ハンズフリー機器２から取得した機能情報に基づいて、電界強度の表示機能を備えているか否かを推定し、電界強度通知の要否を判定するので、電界強度を通知する必要のない機器への電界強度の通知の機能を停止し、携帯電話装置１の消費電力を抑制することができる。【００６６】
上述した第１の実施形態及び第２の実施形態では、外部機器の識別情報や機能情報を用いて電界強度通知の要否を判定したが、携帯電話装置と外部機器との間で解釈可能な独自のコマンドを用いて、外部機器から受信信号強度の通知の要否を指示する情報を携帯電話装置へ送信して、携帯電話装置がその指示情報を取得することにより、電界強度通知の要否を判定してもよい。例えば、携帯電話装置は、外部機器から電界強度通知が不要である指示情報を取得したときに限り、電界強度の通知機能を停止してもよい。【００６７】
なお、上述した実施形態における携帯電話装置１は、無線通信装置の一例として動作するものであって、無線通信装置は、二つの異なる無線通信機能を備えるものであれば、携帯電話装置に限られるものではない。【００６８】
また、本実施形態では、省電力モードになったときに、近距離無線通信にて接続されている外部機器に対する電界強度通知の要否の判定が行われているが、通常電力モード時にこの判定が行われてもよい。【００６９】
本発明を詳細にまた特定の実施態様を参照して説明したが、本発明の精神と範囲を逸脱することなく様々な変更や修正を加えることができることは当業者にとって明らかである。【００７０】
本出願は、２００６年２月２８日出願の日本特許出願（特願２００６−０５３１３０）に基づくものであり、その内容はここに参照として取り込まれる。
【産業上の利用可能性】
【００７１】
本発明の無線通信装置及びその通信方法は、消費電力を抑制して、外部機器に対する受信信号強度の通知機能を実現可能な効果を有し、車載装置等のハンズフリー機器やヘッドセット機器と近距離通信が可能な携帯電話装置等に有用である。
【図１】
2007099743.tif 000003
【図２】
2007099743.tif 000004
【図３】
2007099743.tif 000005
【図４】
2007099743.tif 000006
【図５】
2007099743.tif 000007
【図６】
2007099743.tif 000008
【図７】
2007099743.tif 000009
【図８】
2007099743.tif 000010
【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
第一の無線通信部と、
前記第一の無線通信部における通信方式とは異なる通信方式を用いて、外部機器と無線通信を行う第二の無線通信部と、
前記第一の無線通信部における受信信号強度を検出する信号強度検出部と、
前記検出した受信信号強度に関する情報を、前記第二の無線通信部を介して前記外部機器へ通知する信号強度通知部と、
前記第二の無線通信部を介して接続されている外部機器から、当該外部機器に関する機器情報を取得する機器情報取得部と、
前記機器情報に基づいて、前記信号強度通知部による通知の要否を判定し、不要である場合に前記信号強度通知部の機能を停止する信号強度通知制御部と、
を備える無線通信装置。
【請求項２】
請求項１に記載の無線通信装置であって、
前記受信信号強度に関する情報の通知が不要な機器の識別情報を記憶する記憶部を更に備え、
前記機器情報取得部は、前記外部機器から当該外部機器の識別情報を取得し、
前記信号強度通知制御部は、前記記憶部に記憶されている識別情報と、前記取得した識別情報とが合致した場合、前記信号強度通知部の機能を停止する無線通信装置。
【請求項３】
請求項１又は２に記載の無線通信装置であって、
前記機器情報取得部は、前記外部機器から当該外部機器が備える機能情報を取得し、
前記信号強度通知制御部は、前記取得した機能情報に所定の機能が含まれるか否かに応じて、前記信号強度通知部による通知の要否を判定する無線通信装置。
【請求項４】
請求項１ないし３のいずれか一項に記載の無線通信装置であって、
前記機器情報取得部は、前記外部機器から受信信号強度の通知の要否を指示する情報を取得し、
前記信号強度通知制御部は、前記取得した指示情報に基づいて、前記信号強度通知部による通知の要否を判定する無線通信装置。
【請求項５】
請求項１ないし４のいずれか一項に記載の無線通信装置であって、
前記信号強度通知部は、前記検出した受信信号強度が、複数の区分された受信信号強度の段階のうちのどの段階に該当するかを判定し、前記受信信号強度の段階が変化したと判定されたときに、当該判定された段階を、前記検出した受信信号強度に関する情報として前記外部機器に通知する無線通信装置。
【請求項６】
請求項１ないし５のいずれか一項に記載の無線通信装置であって、
前記第一の無線通信部は、移動体通信の基地局と通信を行う移動体通信部であり、
前記第二の無線通信部は、前記外部機器と近距離無線通信を行う近距離無線通信部である無線通信装置。
【請求項７】
請求項１ないし６のいずれか一項に記載の無線通信装置と、
前記外部機器として、前記無線通信装置の第二の無線通信部と通信を行う近距離無線通信装置とを備える無線通信システム。
【請求項８】
第一の無線通信部と、前記第一の無線通信部における通信方式とは異なる通信方式を用いて、外部機器と無線通信を行う第二の無線通信部と、前記第一の無線通信部における受信信号強度を検出する信号強度検出部と、前記検出した受信信号強度に関する情報を、前記第二の無線通信部を介して前記外部機器へ通知する信号強度通知部とを備える無線通信装置の無線通信方法であって、
前記第二の無線通信部を介して接続されている外部機器から、当該外部機器に関する機器情報を取得するステップと、
前記機器情報に基づいて、前記信号強度通知部による通知の要否を判定し、不要である場合に前記信号強度通知部の機能を停止するステップと、
を有する通信方法。
【請求項９】
コンピュータに、請求項８に記載の通信方法を実行させるプログラム。
【手続補正２】
【補正対象書類名】明細書
【補正対象項目名】全文
【補正方法】変更
【補正の内容】
【発明の詳細な説明】
【技術分野】
【０００１】
本発明は、異なる二つの通信方式に対応した無線通信装置及びその通信方法に関する。
【背景技術】
【０００２】
移動体通信に用いられる携帯電話は、移動体通信の機能のほかに近距離無線通信等の第二の無線通信機能を備え、この第二の通信機能を利用して外部機器との無線通信を可能としたものがある。例えば、特許文献１には、携帯電話と、ハンズフリー音声通話ができるハンズフリー端末とがＢｌｕｅｔｏｏｔｈ（登録商標）通信で無線接続され、携帯電話に着信があったとき、ハンズフリー端末に発信者情報の表示を行う通信システムが記載されている。
【０００３】
上述したＢｌｕｅｔｏｏｔｈ（登録商標）通信には、Ｓｎｉｆｆモード、Ｐａｒｋモード、Ｈｏｌｄモードといった低消費電力モードがあり、通信機器における消費電力を抑制することが可能である（例えば、特許文献２参照）。
【０００４】
【特許文献１】特開２００５−２１０１８１号公報
【特許文献２】特開２００５−２６０５８６号公報
【発明の開示】
【発明が解決しようとする課題】
【０００５】
上述したように、ハンズフリー端末が表示機能を備える場合、ハンズフリー端末に表示させる情報としては、着信時の発信者情報のほか、携帯電話の移動体通信における基地局からの受信信号強度に関する情報が挙げられる。これにより、使用者は、ハンズフリー端末の表示を確認することにより、携帯電話の移動体通信における通信状態を把握することができる。
【０００６】
ところで、近距離無線通信にて接続可能な外部機器には、上記のように表示機能を備えたものもあれば、表示機能を備えないヘッドセットのような機器もある。しかしながら、携帯電話が上述した受信信号強度の表示機能に対応した動作を行うためには、外部機器における表示装置の有無に関わらず、受信信号強度が変化するたびに受信信号強度を外部機器へ通知する必要がある。
【０００７】
携帯電話における受信信号強度は時々刻々と変動するので、携帯電話と外部機器との間の通信が低消費電力モードにあるときも、その低消費電力モードを一旦解除し、受信信号強度の通知を行う必要がある。このように、近距離無線通信にて接続された機器が表示機能に対応していないときにも、受信信号強度の通知を行うことにより、無駄な電力を消費してしまい、携帯電話における消費電力が増大してしまうという事情がある。
【０００８】
一方、消費電力を抑制するために通知のタイミングを間引くと、信号強度表示機能を備えた機器が接続されているときには、その機器で表示される携帯電話の通信状態が、実際の状態と一致しなくなる恐れがある。
【０００９】
本発明は、上記の事情に鑑みてなされたものであって、消費電力を抑制して、外部機器に対する受信信号強度の通知機能を実現可能な無線通信装置及びその通信方法を提供することを目的とする。
【課題を解決するための手段】
【００１０】
本発明は、第１に、第一の無線通信部と、前記第一の無線通信部における通信方式とは異なる通信方式を用いて、外部機器と無線通信を行う第二の無線通信部と、前記第一の無線通信部における受信信号強度を検出する信号強度検出部と、前記検出した受信信号強度に関する情報を、前記第二の無線通信部を介して前記外部機器へ通知する信号強度通知部と、前記第二の無線通信部を介して接続されている外部機器から、当該外部機器に関する機器情報を取得する機器情報取得部と、前記機器情報に基づいて、前記信号強度通知部による通知の要否を判定し、不要である場合に前記信号強度通知部の機能を停止する信号強度通知制御部とを備える無線通信装置が提供されるものである。
【００１１】
この構成により、第二の無線通信部を介して接続される外部機器が、受信信号強度を通知する必要のない機器であるときに、受信信号強度の通知の機能を停止するので、無線通信装置の消費電力を抑制することができる。
【００１２】
本発明は、第２に、上記第１に記載の無線通信装置であって、前記受信信号強度に関する情報の通知が不要な機器の識別情報を記憶する記憶部を更に備え、前記機器情報取得部は、前記外部機器から当該外部機器の識別情報を取得し、前記信号強度通知制御部は、前記記憶部に記憶されている識別情報と、前記取得した識別情報とが合致した場合、前記信号強度通知部の機能を停止する無線通信装置が提供されるものである。
【００１３】
この構成により、第二の無線通信部を介して接続される外部機器が、予め指定された受信信号強度の通知不要な機器であるか否かを判定するので、受信信号強度を通知する必要のない機器への受信信号強度の通知の機能を確実に停止し、無線通信装置の消費電力を抑制することができる。
【００１４】
本発明は、第３に、上記第１又は第２に記載の無線通信装置であって、前記機器情報取得部は、前記外部機器から当該外部機器が備える機能情報を取得し、前記信号強度通知制御部は、前記取得した機能情報に所定の機能が含まれるか否かに応じて、前記信号強度通知部による通知の要否を判定する無線通信装置が提供されるものである。
【００１５】
この構成により、外部機器から取得した機能情報に基づいて、受信信号強度の表示機能を備えているか否かを推定し、受信信号強度の通知の要否を判定するので、受信信号強度を通知する必要のない機器への受信信号強度の通知の機能を停止し、無線通信装置の消費電力を抑制することができる。
【００１６】
本発明は、第４に、上記第１ないし第３のいずれかに記載の無線通信装置であって、前記機器情報取得部は、前記外部機器から、受信信号強度の通知の要否を指示する情報を取得し、前記信号強度通知制御部は、前記取得した指示情報に基づいて、前記信号強度通知部による通知の要否を判定する無線通信装置が提供されるものである。
【００１７】
この構成により、外部機器より受信信号強度通知の要否が直接指示されるので、受信信号強度を通知する必要のない機器への受信信号強度の通知の機能を停止し、無線通信装置の消費電力を抑制することができる。
【００１８】
本発明は、第５に、上記第１ないし４のいずれかに記載の無線通信装置であって、前記信号強度通知部は、前記検出した受信信号強度が、複数の区分された受信信号強度の段階のうちのどの段階に該当するかを判定し、前記受信信号強度の段階が変化したと判定されたときに、当該判定された段階を、前記検出した受信信号強度に関する情報として前記外部機器に通知する無線通信装置が提供されるものである。
【００１９】
この構成により、受信信号強度の段階が変化したときにのみ外部機器へ通知するので、無線通信装置の消費電力を抑制することができる。
【００２０】
本発明は、第６に、上記第１ないし第５のいずれか一項に記載の無線通信装置であって、前記第一の無線通信部は、移動体通信の基地局と通信を行う移動体通信部であり、前記第二の無線通信部は、前記外部機器と近距離無線通信を行う近距離無線通信部である無線通信装置が提供されるものである。
【００２１】
この構成により、近距離無線通信にて接続された外部機器に対して、移動体通信における受信信号強度を通知することができる。
【００２２】
本発明は、第７に、上記第１ないし第６のいずれかに記載の無線通信装置と、前記無線通信装置の第二の無線通信部と通信を行う前記外部機器とを備える無線通信システムが提供されるものである。
【００２３】
この構成により、第二の無線通信部を介して接続される外部機器が、受信信号強度を通知する必要のない機器であるときに、受信信号強度の通知の機能を停止するので、無線通信装置及び外部機器の消費電力を抑制することができる。
【００２４】
本発明は、第８に、第一の無線通信部と、前記第一の無線通信部における通信方式とは異なる通信方式を用いて、外部機器と無線通信を行う第二の無線通信部と、前記第一の無線通信部における受信信号強度を検出する信号強度検出部と、前記検出した受信信号強度に関する情報を、前記第二の無線通信部を介して前記外部機器へ通知する信号強度通知部とを備える無線通信装置の無線通信方法であって、前記第二の無線通信部を介して接続されている外部機器から、当該外部機器に関する機器情報を取得するステップと、前記機器情報に基づいて、前記信号強度通知部による通知の要否を判定し、不要である場合に前記信号強度通知部の機能を停止するステップとを有する通信方法が提供されるものである。
【００２５】
この方法により、第二の無線通信部を介して接続される外部機器が、受信信号強度を通知する必要のない機器であるときに、受信信号強度の通知の機能を停止するので、無線通信装置の消費電力を抑制することができる。
【００２６】
本発明は、第９に、コンピュータに、上記第８に記載の通信方法を実行させるプログラムが提供されるものである。
【００２７】
このプログラムにより、第二の無線通信部を介して接続される外部機器が、受信信号強度を通知する必要のない機器であるときに、受信信号強度の通知の機能を停止するので、無線通信装置の消費電力を抑制することができる。
【発明の効果】
【００２８】
本発明によれば、消費電力を抑制して、外部機器に対する受信信号強度の通知機能を実現可能な無線通信装置及びその通信方法を提供することができる。
【発明を実施するための最良の形態】
【００２９】
（第１の実施形態）
図１は、本発明の第１の実施形態に係る無線通信システムの概略構成を示すブロック図である。図１に示すように、本実施形態の無線通信システムは、携帯電話装置１と、携帯電話装置１に近距離無線通信を介して接続されるハンズフリー機器２とを備える。携帯電話装置１は無線通信装置の一例であり、ハンズフリー機器２は外部機器の一例である。
【００３０】
携帯電話装置１は、携帯電話基地局３と通信して移動体通信網に接続する携帯電話通信部１１と、携帯電話装置１全体の動作を制御する制御部１２と、ハンズフリー機器２と近距離無線通信を行う近距離無線通信部１３とを備える。なお、携帯電話通信部１は第一の無線通信部の一例として動作する。また、近距離無線通信部１３は、第一の無線通信部における通信方式とは異なる通信方式を用いて、外部機器と無線通信を行う第二の無線通信部の一例として動作する。
【００３１】
ハンズフリー機器２は、近距離通信を行う近距離無線通信部２１と、電界強度取得部２２と、表示部２３とを備える。近距離無線通信部２１は、携帯電話装置１の近距離無線通信部１３と通信を行う。電界強度取得部２２は、近距離無線通信部２１を介して携帯電話装置１から取得した携帯電話装置１における携帯電話基地局３からの受信信号強度の一例としての電界強度を取得する。表示部２３は、電界強度取得部２２で取得した電界強度の情報を表示部２３に表示する。
【００３２】
図２は、本発明の第１の実施形態に係る携帯電話装置の主要な構成を示すブロック図である。図２に示すように、制御部１２は、機器情報取得部１２１と、記憶部１２２と、モード設定部１２３と、電界強度通知判定部１２４と、電界強度判定部１２５と、電界強度通知部１２６とを備える。なお、図２では、電界強度通知機能に関する要素を中心にして記載されており、他に携帯電話装置１全体の動作を制御する要素については省略されている。
【００３３】
機器情報取得部１２１は、近距離無線通信部１３を介して接続されたハンズフリー機器２から受信した情報から、ハンズフリー機器２に関する機器情報を取得する。記憶部１２２は、機器情報取得部１２１から取得した機器情報を記憶する。モード設定部１２３は、近距離無線通信部１３を用いた近距離無線通信について、通常通信モードと省電力モードとのうちのいずれかのモードを設定する。
【００３４】
電界強度通知判定部１２４は、信号強度通知制御部の一例として機能し、記憶部１２２に記憶されている機器情報に基づいて、ハンズフリー機器２への電界強度の通知の要否を判定する。電界強度判定部１２５は、携帯電話通信部１１における受信信号から電界強度を検出し、電界強度の変化等による電界強度の通知の必要性について判定する。電界強度通知部１２６は、信号強度通知部の一例として機能し、電界強度判定部１２５にて判定された電界強度に関する情報を、近距離無線通信部１３を介してハンズフリー機器２へ通知する。
【００３５】
図３は、本発明の第１の実施形態に係る無線通信システムにおけるリンク確立動作の手順を説明するシーケンス図である。図３に示すように、まず、携帯電話装置１とハンズフリー機器２との間で、無線リンクが確立する（ステップＳ３０１）。
【００３６】
無線リンクが確立すると、ハンズフリー機器２は、近距離無線通信部２１に割り当てられた固有のアドレス、例えばＢｌｕｅｔｏｏｔｈ（登録商標）の場合には、ＢＤアドレス（Bluetooth（登録商標） Device Address）を携帯電話装置１へ送信する（ステップＳ３０２）。また、自身のハンズフリー機器２に割り当てられている機器名称を携帯電話装置１へ送信する（ステップＳ３０３）。携帯電話装置１の機器情報取得部１２１は、通知されたアドレスや機器名称を機器情報として取得し、記憶部１２２へ記憶する。
【００３７】
携帯電話装置１は、ハンズフリー機器２から送信されたアドレスや機器名称等、機器の識別情報である機器情報を受信して、接続を許可するときには、ハンズフリー機器へ接続を許可する応答を送信する（ステップＳ３０４）。このようにして、携帯電話装置１と、ハンズフリー機器２との間の通信が確立する（ステップＳ３０５）。
【００３８】
以上のように、携帯電話装置１は、近距離無線通信を確立するにあたり、通信相手となる機器の識別情報を取得する。本実施形態の携帯電話装置１は、このように取得された機器情報を利用して、電界強度通知の要否を判定するものである。
【００３９】
図４は、本発明の第１の実施形態に係る携帯電話装置の電界強度通知時の処理手順を示すフローチャートである。
【００４０】
図４に示すように、電界強度通知判定部１２４は、モード設定部１２３から省電力モードに入った通知を受けると、近距離無線通信部１３を介して接続されていると共に省電力モードとなっているハンズフリー機器２の機器情報を記憶部１２２から読み出して、電界強度を通知する必要のある機器であるか否かを判定する（ステップＳ４０１）。
【００４１】
なお、記憶部１２２には、電界強度の通知が不要な機器の識別情報等の機器情報が予め登録されている。ステップＳ４０１において、電界強度通知判定部１２４は、記憶部１２２を参照して、現在近距離無線通信部１３に接続されている外部機器の機器情報が、電界強度の通知が不要な機器として予め指定されている機器情報と一致するか否かを判定することにより、接続している機器が電界強度の通知が不要であるか否かを判定する。
【００４２】
現在近距離無線通信部１３に接続されている外部機器の機器情報が、記憶部１２２に登録されている機器情報と一致したとき（ステップＳ４０１のＹＥＳ）、電界強度を通知する必要のない機器であると判定し、省電力モードを維持する（ステップＳ４０２）。すなわち、電界強度通知の機能を休止する。
【００４３】
一方、現在近距離無線通信部１３に接続されている外部機器の機器情報が、記憶部１２２に登録されている機器情報と一致しないとき（ステップＳ４０１のＮＯ）、電界強度通知判定部１２４は、近距離無線通信にて接続されている機器へ電界強度を通知する必要があると判定する。そして、電界強度判定部１２５は、電界強度通知判定部１２４からの指示により、携帯電話通信部１１から電界強度を取得する（ステップＳ４０３）。
【００４４】
電界強度判定部１２５は、取得した電界強度が、複数の区分された電界強度の段階のうち、どの段階に該当するかを判定する。なお、電界強度判定部１２５では、ハンズフリー機器２において表示する電界強度の段階を少なくとも判定できればよい。例えば、ハンズフリー機器２が、圏外を含む５段階の電界強度を表示する場合には、電界強度判定部１２５は、検出された電界強度が、少なくともこの５段階のどの段階に該当するかについて判定する。
【００４５】
そして、電界強度判定部１２５は、検出された電界強度が該当する段階が変化したか否かを判定する（ステップＳ４０４）。電界強度の段階が変化していなければ（ステップＳ４０４）、電界強度の通知をせず、省電力モードを維持する（ステップＳ４０２）。一方、電界強度の段階が変化していれば（ステップＳ４０５）、電界強度判定部１２５は、モード設定部１２３に通知して、近距離無線通信部１３のハンズフリー機器２との間の省電力モードを解除し（ステップＳ４０５）。そして、電界強度通知部１２６は、変化後の電界強度の段階を、近距離無線通信部１３を介して、ハンズフリー機器２に通知する（ステップＳ４０６）。
【００４６】
図５は、本発明の第１の実施形態に係る無線通信システムにおける電界強度通知機能時の動作手順を説明するシーケンス図である。図５に示すように、携帯電話装置１とハンズフリー機器２との間で近距離無線通信の接続が確立し（ステップＳ５０１）、ハンズフリー機器２が省電力モードの要求を送信し（ステップＳ５０２）、携帯電話装置１が省電力モード要求の許可を返信すると（ステップＳ５０３）、携帯電話装置１とハンズフリー機器２との間の近距離無線通信が省電力モードとなる（ステップＳ５０４）。
【００４７】
そして、ハンズフリー機器２が、携帯電話装置１における電界強度の表示機能に対応しているとき、すなわち、携帯電話装置１がハンズフリー機器２へ電界強度を通知する必要があるとき、電界強度の変化が生じると、図４のステップＳ４０５に示すように、ハンズフリー機器２に対して省電力モード解除要求を送信し（ステップＳ５０５）、ハンズフリー機器２は、省電力モード解除要求に対する応答を返して（ステップＳ５０６）、携帯電話装置１とハンズフリー機器２との間の近距離無線通信が通常接続モードとなる（ステップＳ５０７）。
【００４８】
そして、携帯電話装置１は、図４のステップＳ４０６に示すように、電界強度をハンズフリー機器２に通知し（ステップＳ５０８）、ハンズフリー機器２は、通知に対する応答を携帯電話装置１へ返す（ステップＳ５０９）。その後、ハンズフリー機器２が省電力モードの要求を送信し（ステップＳ５１０）、携帯電話装置１が省電力モード要求の許可を返信すると（ステップＳ５１１）、携帯電話装置１とハンズフリー機器２との間の近距離無線通信が省電力モードとなる（ステップＳ５１２）。
【００４９】
次に、電界強度の通知が不要な場合の無線通信システムの動作について説明する。図６は、本発明の第１の実施形態に係る無線通信システムにおける電界強度通知機能停止時の動作手順を説明するシーケンス図である。なお、図５と重複する部分については同一の符号を付す。
【００５０】
携帯電話装置１とハンズフリー機器２との間で省電力モードの状態になると（ステップＳ５０４）、ハンズフリー機器２が、携帯電話装置１の電界強度の表示機能に対応していないとき、すなわち、携帯電話装置１がハンズフリー機器２へ電界強度を通知する必要がないとき、携帯電話装置１は記憶部１２２に記憶されている機器情報を用いて電界強度通知が不要であると判定する（ステップＳ６０１）。電界強度通知が不要であると判定されると、その後、携帯電話装置１における基地局からの受信信号の電界強度が変化したとしても、ハンズフリー機器２への電界強度の通知が不要であるので、省電力モードが維持される。
【００５１】
このようにして、近距離無線通信部１３を介して接続されているハンズフリー機器２が、受信信号強度を通知する必要のない機器であるときに、図５に示す期間Ｔにおける動作を休止するので、携帯電話装置１及びハンズフリー機器２の消費電力を抑制することができる。
【００５２】
このような本発明の第１の実施形態によれば、近距離無線通信部１３を介して接続されるハンズフリー機器２が、記憶部１２２に予め登録された電界強度の通知不要な機器であるか否かを判定するので、電界強度を通知する必要のない機器への電界強度の通知の機能を確実に停止し、携帯電話装置１及びハンズフリー機器２の消費電力を抑制することができる。
【００５３】
なお、本実施形態において、記憶部１２２は、電界強度の通知が必要な機器の識別情報を格納し、接続している機器が登録されている機器でないときに、省電力モードを維持してもよい。
【００５４】
（第２の実施形態）
図７は、本発明の第２の実施形態に係る無線通信システムにおけるリンク確立動作の手順を説明するシーケンス図である。なお、本発明の第２の実施形態に係る無線通信システム及び携帯電話装置は、図１及び図２に示す構成と同様の構成を有するものである。
【００５５】
まず、携帯電話装置１とハンズフリー機器２との間で、無線リンクが確立する（ステップＳ７０１）。無線リンクが確立すると、ハンズフリー機器２は、自身が対応している機能に関する情報である機能情報を、携帯電話装置１へ送信して、自身の機能を通知する（ステップＳ７０２）。携帯電話装置１の機器情報取得部１２１は、通知された機能情報を機器情報として取得し、記憶部１２２へ記憶する。
【００５６】
また、携帯電話装置１も、自身が対応している機能に関する情報である機能情報をハンズフリー機器２に送信する（ステップＳ７０３）。その後、ハンズフリー機器２との接続を許可するときには、ハンズフリー機器２へ接続を許可する応答を送信する（ステップＳ７０４）。このようにして、携帯電話装置１と、ハンズフリー機器２との間の通信が確立する（ステップＳ７０５）。
【００５７】
例えば、Ｂｌｕｅｔｏｏｔｈ（登録商標）の場合、ステップＳ７０２〜Ｓ７０４の処理は、ＨＦＰ（Hands Free Profile）リンク確立動作処理であり、ＢＲＳＦ（Bluetooth（登録商標） Retrieve Supported Features）を互いに公開することにより、自身がサポートする機能を互いに通知することができる。このＢＲＳＦで通知可能な機能の項目には、発信者番号通知機能が含まれている。したがって、携帯電話装置１は、ハンズフリー機器２が発信者番号通知機能に対応しているか否かを把握することができる。
【００５８】
発信者番号通知機能に対応したハンズフリー機器２は、少なくとも表示機能を有していることから、受信信号強度の表示機能を備えている可能性があると推定される。そこで、本実施形態の携帯電話装置１は、図７の処理で取得した機器情報を利用して、電界強度通知の要否を判定するものである。
【００５９】
図８は、本発明の第２の実施形態に係る携帯電話装置の電界強度通知時の処理手順を示すフローチャートである。図８において、図４と重複する手順については同一の符号を付す。
【００６０】
図８に示すように、電界強度通知判定部１２４は、モード設定部１２３から省電力モードに入った通知を受けると、近距離無線通信部１３を介して接続されていると共に省電力モードとなっているハンズフリー機器２の機能情報を記憶部１２２から読み出し、そのハンズフリー機器２が、所定の機能に非対応であるか否かを判定する（ステップＳ８０１）。この手順における所定の機能とは、上記説明した発信者番号通知機能等、少なくとも表示機能を必要とした機能である。
【００６１】
そして、所定の機能に非対応であれば（ステップＳ８０１のＹＥＳ）、電界強度を通知する必要のない機器であると判定し、省電力モードを維持する（ステップＳ４０２）。すなわち、電界強度通知の機能を休止する。
【００６２】
一方、所定の機能に対応していれば（ステップＳ８０１のＮＯ）、電界強度を通知する必要のない機器であると推定できるので、ステップＳ４０３に進み、電界強度の取得処理へ進む。なお、ステップＳ４０３以降の処理は、図４で説明した処理と同様である。
【００６３】
このような本発明の第２の実施形態によれば、ハンズフリー機器２から取得した機能情報に基づいて、電界強度の表示機能を備えているか否かを推定し、電界強度通知の要否を判定するので、電界強度を通知する必要のない機器への電界強度の通知の機能を停止し、携帯電話装置１の消費電力を抑制することができる。
【００６４】
上述した第１の実施形態及び第２の実施形態では、外部機器の識別情報や機能情報を用いて電界強度通知の要否を判定したが、携帯電話装置と外部機器との間で解釈可能な独自のコマンドを用いて、外部機器から受信信号強度の通知の要否を指示する情報を携帯電話装置へ送信して、携帯電話装置がその指示情報を取得することにより、電界強度通知の要否を判定してもよい。例えば、携帯電話装置は、外部機器から電界強度通知が不要である指示情報を取得したときに限り、電界強度の通知機能を停止してもよい。
【００６５】
なお、上述した実施形態における携帯電話装置１は、無線通信装置の一例として動作するものであって、無線通信装置は、二つの異なる無線通信機能を備えるものであれば、携帯電話装置に限られるものではない。
【００６６】
また、本実施形態では、省電力モードになったときに、近距離無線通信にて接続されている外部機器に対する電界強度通知の要否の判定が行われているが、通常電力モード時にこの判定が行われてもよい。
【００６７】
本発明を詳細にまた特定の実施態様を参照して説明したが、本発明の精神と範囲を逸脱することなく様々な変更や修正を加えることができることは当業者にとって明らかである。
【００６８】
本出願は、２００６年２月２８日出願の日本特許出願（特願２００６−０５３１３０）に基づくものであり、その内容はここに参照として取り込まれる。
【産業上の利用可能性】
【００６９】
本発明の無線通信装置及びその通信方法は、消費電力を抑制して、外部機器に対する受信信号強度の通知機能を実現可能な効果を有し、車載装置等のハンズフリー機器やヘッドセット機器と近距離通信が可能な携帯電話装置等に有用である。
【図面の簡単な説明】
【００７０】
【図１】本発明の第１の実施形態に係る無線通信システムの概略構成を示すブロック図
【図２】本発明の第１の実施形態に係る携帯電話装置の主要な構成を示すブロック図
【図３】本発明の第１の実施形態に係る無線通信システムにおけるリンク確立動作の手順を説明するシーケンス図
【図４】本発明の第１の実施形態に係る携帯電話装置の電界強度通知時の処理手順を示すフローチャート
【図５】本発明の第１の実施形態に係る無線通信システムにおける電界強度通知機能時の動作手順を説明するシーケンス図
【図６】本発明の第１の実施形態に係る無線通信システムにおける電界強度通知機能停止時の動作手順を説明するシーケンス図
【図７】本発明の第２の実施形態に係る無線通信システムにおけるリンク確立動作の手順を説明するシーケンス図
【図８】本発明の第２の実施形態に係る携帯電話装置の電界強度通知時の処理手順を示すフローチャート
【符号の説明】
【００７１】
１  携帯電話装置
２  ハンズフリー機器
３  携帯電話基地局
１１  携帯電話通信部
１２  制御部
１３  近距離無線通信部
２１  近距離無線通信部
２２  電界強度取得部
２３  表示部
１２１  機器情報取得部
１２２  記憶部
１２３  モード設定部
１２４  電界強度通知判定部
１２５  電界強度判定部
１２６  電界強度通知部
【手続補正３】
【補正対象書類名】図面
【補正対象項目名】全図
【補正方法】変更
【補正の内容】
【図１】
2007099743.tif 000011
【図２】
2007099743.tif 000012
【図３】
2007099743.tif 000013
【図４】
2007099743.tif 000014
【図５】
2007099743.tif 000015
【図６】
2007099743.tif 000016
【図７】
2007099743.tif 000017
【図８】
2007099743.tif 000018
【国際調査報告】
2007099743.tif 000019
2007099743.tif 000020